(57)【要約】【課題】  デジタルカメラで撮影されたデジタル画像をメモリカード等の記憶媒体に保存すると共に、無線ＬＡＮカード等の通信装置に転送する方法をユーザによる設定で又は自動的に選択できるようにする。【解決手段】  撮影されたデジタル画像を記憶媒体３０に保存すると共に、前記デジタル画像を通信装置２０に転送する第１の画像転送方法と、前記デジタル画像を記憶媒体３０に保存した後に前記デジタル画像を記憶媒体３０から読み出して通信装置２０に転送する第２の画像転送方法とを有し、第１又は第２の画像転送方法をユーザによる設定で又は自動的に選択する撮像装置１０を提供する。【選択図】図１
2010178360.tif 000002
【特許請求の範囲】
【請求項１】
撮影されたデジタル画像を記憶媒体に保存すると共に、前記デジタル画像を通信装置に転送する第１の画像転送方法と、
前記デジタル画像を前記記憶媒体に保存した後に前記デジタル画像を前記記憶媒体から読み出して前記通信装置に転送する第２の画像転送方法とを有する撮像装置であって、
前記撮像装置と前記通信装置とを接続する接続手段の種類に応じて前記第１又は第２の画像転送方法を選択する選択手段を有することを特徴とする撮像装置。
【発明の詳細な説明】
【技術分野】
【０００１】
本発明は、デジタルカメラ、デジタルビデオカメラ等の撮像装置に関する。
【背景技術】
【０００２】
最近のデジタルカメラは、撮影されたデジタル画像をメモリカード等の記憶媒体に保存する機能だけでなく、撮影されたデジタル画像をＩＥＥＥ１３９４シリアルバス、ＵＳＢ（Ｕｎｉｖｅｒｓａｌ  Ｓｅｒｉａｌ  Ｂｕｓ）等に準拠したネットワークインターフェースを介して他の装置に転送する機能を有する。例えば、特許文献１には、撮影されたデジタル画像を無線ＬＡＮカードを介してファイルサーバに転送するデジタルカメラが提案されている。
【先行技術文献】
【特許文献】
【０００３】
【特許文献１】特開２００３−２８３９００号公報
【発明の概要】
【発明が解決しようとする課題】
【０００４】
引用文献１に記載のデジタルカメラは、メモリカード又は無線ＬＡＮカードをデジタルカメラに接続するように構成されているため、デジタルカメラで撮影されたデジタル画像をメモリカード等の記憶媒体に保存すると共に、無線ＬＡＮカード等の通信装置を介してネットワーク上のファイルサーバに転送することはできない。
【０００５】
また、引用文献１には、デジタルカメラで撮影されたデジタル画像をメモリカード等の記憶媒体に保存すると共に、無線ＬＡＮカード等の通信装置に転送する方法に複数の方法があることを開示していない。また、引用文献１には、それらの方法をユーザによる設定で選択できるようにすることも、自動的に選択することも開示していない。
【０００６】
本発明は、このような現状に鑑みてなされたものであり、デジタルカメラで撮影されたデジタル画像をメモリカード等の記憶媒体に保存すると共に、無線ＬＡＮカード等の通信装置に転送する方法をユーザによる設定で又は自動的に選択できるようにすることを目的とする。
【課題を解決するための手段】
【０００７】
本発明に係る撮像装置は、撮影されたデジタル画像を記憶媒体に保存すると共に、前記デジタル画像を通信装置に転送する第１の画像転送方法と、前記デジタル画像を前記記憶媒体に保存した後に前記デジタル画像を前記記憶媒体から読み出して前記通信装置に転送する第２の画像転送方法とを有する撮像装置であって、前記撮像装置と前記通信装置とを接続する接続手段の種類に応じて前記第１又は第２の画像転送方法を選択する選択手段を有することを特徴とする。
【発明の効果】
【０００８】
本発明によれば、撮影画像の記憶媒体への保存を優先するか、撮影画像の通信装置への転送を優先するかをユーザによる設定で又は自動的に選択することができる。
【図面の簡単な説明】
【０００９】
【図１】本発明の第１の実施形態に係る撮像システムの構成の一例を示す図である。
【図２】本発明の第１の実施形態に係る撮像装置の構成の一例を示す図である。
【図３】本発明の第１の実施形態に係る通信装置の構成の一例を示す図である。
【図４】撮像装置で実行される処理の一例を説明するためのフローチャートである。
【図５】第１及び第２の画像転送方法をオン又はオフに設定するための設定メニューの一例を示す図である。
【発明を実施するための形態】
【００１０】
以下、図面を参照して本発明の好適な実施形態を説明する。
【００１１】
（第１の実施形態）
まず、図１を参照して本発明の第１の実施形態に係る撮像システムの構成の一例を説明する。
【００１２】
撮像装置１０は、デジタルカメラ又はデジタルカメラとして動作する装置（デジタルビデオカメラ等）である。
【００１３】
また、撮像装置１０は、２つの画像転送方法を有する。第１の画像転送方法は、撮影されたデジタル画像とその付加情報とを含む画像ファイルを撮像装置１０内のバッファメモリから読み出して記憶媒体３０に保存する処理と、その画像ファイルを撮像装置１０内のバッファメモリから通信装置２０に転送する処理とを並行して行う方法である。第２の画像転送方法は、撮影されたデジタル画像とその付加情報とを含む画像ファイルを撮像装置１０内のバッファメモリから読み出して記憶媒体３０に保存する処理を行った後、その画像ファイルを記憶媒体３０から読み出して通信装置２０に転送する処理を行う方法である。第１の画像転送方法は第２の画像転送方法に比べて撮影画像の通信装置２０への転送が優先される方法であり、第２の画像転送方法は第１の画像転送方法に比べて撮影画像の記憶媒体３０への保存が優先される方法である。第１の実施形態では、これらの画像転送方法をユーザによる設定で又は自動的に選択できるように構成する。
【００１４】
また、撮像装置１０は、パワーオンモードとパワーセーブモードとを有する装置である。パワーオンモードは、撮像装置１０の全ての機能を使用できる動作モードである。撮像装置１０の電源をオンにした場合、撮像装置１０はパワーオンモードになる。パワーセーブモードは、パワーオンモードよりも消費電力が少ない動作モードである。パワーセーブモードであるとき、撮像装置１０は一部の機能しか使用できない。第１の所定期間が経過するまでの間にユーザが撮像装置１０を操作しなかった場合、撮像装置１０はパワーセーブモードを自動的にオンにする。パワーセーブモードをオンにしてから第２の所定期間が経過するまでの間にユーザが撮像装置１０を操作しなかった場合、撮像装置１０は撮像装置１０の電源を自動的にオフにする。また、パワーセーブモードがオンになってから第２の所定期間が経過するまでの間にユーザが撮像装置１０を操作した場合、撮像装置１０はパワーセーブモードを自動的にオフにしてパワーオンモードに復帰する。ここで、第２の所定期間は、第１の所定期間と同じであっても、第１の所定期間よりも長くてもよい。
【００１５】
通信装置２０は、撮像装置１０から通信装置２０に転送された画像ファイルを、ＩＥＥＥ８０２．１１ａ、ＩＥＥＥ８０２．１１ｂ、ＩＥＥＥ８０２．１１ｇ等に準拠した無線ＬＡＮアクセスポイント４０（以下、ＡＰ４０）を介してファイルサーバ５０に転送する装置である。
【００１６】
また、通信装置２０は、パワーオンモードとパワーセーブモードとを有する装置である。パワーオンモードは、通信装置２０の全ての機能が使用できる動作モードである。通信装置２０の電源をオンにした場合、通信装置２０はパワーオンモードになる。パワーセーブモードは、パワーオンモードよりも消費電力が少ない動作モードである。パワーセーブモードであるとき、通信装置２０は一部の機能しか使用できない。通信装置２０は、転送すべき画像ファイルがなくなってから所定時間が経過した後、パワーセーブモードを自動的にオンにする。また、通信装置２０は、撮像装置１０がパワーセーブモードであることを検出したときにパワーセーブモードをオンにし、撮像装置１０がパワーオンモードであることを検出したときにパワーセーブモードからパワーオンモードに復帰する。
【００１７】
なお、通信装置２０は、ＩＥＥＥ１３９４シリアルバス、ＵＳＢ（Ｕｎｉｖｅｒｓａｌ  Ｓｅｒｉａｌ  Ｂｕｓ）等に準拠したネットワークインターフェースを介して撮像装置１０に接続されるものであっても、記憶媒体３０を接続するためのインターフェースに接続されるものであっても、撮像装置１０に内蔵されたものであってもよい。第１の実施形態では、通信装置２０と撮像装置１０とを、ＩＥＥＥ１３９４シリアルバス、ＵＳＢ（Ｕｎｉｖｅｒｓａｌ  Ｓｅｒｉａｌ  Ｂｕｓ）等に準拠したネットワークインターフェースを介して接続する場合を説明する。
【００１８】
また、通信装置２０は、通信装置２０に接続されたバッテリから電力の供給を受ける装置であっても、撮像装置１０から電力の供給を受ける装置であってもよい。第１の実施形態では、通信装置２０が通信装置２０に接続されたバッテリから電力の供給を受ける装置である場合を説明する。
【００１９】
記憶媒体３０は、メモリカード（不揮発性メモリを内蔵したカード状の記憶媒体）、ハードディスク装置等の記憶媒体であり、撮像装置１０に装着することも、撮像装置１０から取り外すこともできる。
【００２０】
次に、図２を参照して撮像装置１０の構成の一例を説明する。
【００２１】
撮像部１０１は、シャッターボタンが全押し状態にされた場合、撮像素子（ＣＣＤイメージセンサー、ＣＭＯＳイメージセンサー等）によって受光された光を電気信号に変換し、その電気信号をデジタル化してデジタル画像を生成し、生成したデジタル画像を第１バッファメモリ１０２に格納する。シャッターボタンを全押し状態にし続けた場合、撮像部１０１は、第１バッファメモリ１０２がフルになるまでデジタル画像を撮影し続ける。第１バッファメモリ１０２は、複数のデジタル画像を記憶する容量を有する。
【００２２】
画像処理部１０３は、第１バッファメモリ１０２からデジタル画像を読み出し、そのデジタル画像に現像処理を施す。現像処理には、ホワイトバランスの調整、シャープネスの調整、コントラストの調整、色空間の調整、解像度の調整等が含まれる。現像処理は、ユーザによる設定が可能である。
【００２３】
圧縮伸長部１０４は、画像処理部１０３で処理されたデジタル画像をＪＰＥＧ、ＪＰＥＧ２０００等の画像圧縮方法に従って圧縮する機能と、圧縮されたデジタル画像を伸長する機能とを有する。圧縮率は、ユーザによる設定が可能である。
【００２４】
メイン制御部１０８は、不揮発性メモリ１１０内の制御プログラムに従って撮像装置１０を制御するマイクロコンピュータを有する。また、メイン制御部１０８は、圧縮伸長部１０４で圧縮されたデジタル画像とそのデジタル画像の付加情報とを含む画像ファイルを生成し、生成した画像ファイルを第２バッファメモリ１０５に格納する機能を有する。付加情報には、デジタル画像に関する情報、撮像装置１０に関する情報、デジタル画像のサムネイル等が含まれる。第２バッファメモリ１０５は、複数の画像ファイルを記憶する容量を有する。また、メイン制御部１０８は、撮像装置１０の動作モードをパワーオンモード又はパワーセーブモードに変更する機能を有する。
【００２５】
表示部１０６は、液晶表示器等の表示器を有し、その表示器に様々な情報を表示する。表示部１０６は、撮像装置１０に関する情報を表示する機能と、撮影されたデジタル画像の縮小画像を表示する機能と、記憶媒体３０に保存されたデジタル画像の縮小画像を表示する機能等を有する。記憶媒体３０に保存されたデジタル画像の縮小画像を表示する場合にはそのデジタル画像に関する情報も表示することができる。また、表示部１０６は、設定メニュー等のグラフィカルユーザインターフェースを提供する機能を有する。
【００２６】
記憶媒体インターフェース１０７は、第２バッファメモリ１０５に格納された画像ファイルを記憶媒体３０に書き込む機能と、記憶媒体３０に保存された画像ファイルを記憶媒体３０から読み出して第２バッファメモリ１０５に書き込む機能とを有する。
【００２７】
操作部１０９は、撮像装置１０を操作するためのユーザインターフェースであり、撮像装置１０の電源をオン又はオフするための電源スイッチ、撮影の開始を指示するためのシャッターボタン、表示部１０６に設定メニューを表示するためのメニューボタン、表示部１０６に表示されたカーソルを上下左右に移動するための十字ボタン、カーソルが選択している画像又は項目を選択する選択ボタン等を有する。シャッターボタンには、半押し状態と全押し状態とがある。シャッターボタンが半押し状態にされると、撮像装置１０はＡＦ、ＡＥ等を実行し、シャッターボタンが全押し状態にされると、撮像装置１０はデジタル画像の撮影を実行する。
【００２８】
不揮発性メモリ１１０には、撮像装置１０を制御するための制御プログラム、撮像装置１０に関する情報等が記憶されている。また、不揮発性メモリ１１０には、ＡＰ４０に関する情報、ファイルサーバ５０に関する情報（ＩＰアドレス等）等が記憶されている。また、不揮発性メモリ１１０には、表示部１０６に表示される設定メニューの画像データも記憶されている。
【００２９】
ネットワークインターフェース１１１は、ＩＥＥＥ１３９４シリアルバス、ＵＳＢ（Ｕｎｉｖｅｒｓａｌ  Ｓｅｒｉａｌ  Ｂｕｓ）等に準拠したものであり、第２バッファメモリ１０５に格納された画像ファイルを通信装置２０に転送する。また、ネットワークインターフェース１１１は、撮像装置１０に関する情報、ＡＰ４０に関する情報、ファイルサーバ５０に関する情報等を通信装置２０に転送する。
【００３０】
次に、図５を参照して第１及び第２の画像転送方法をオン又はオフに設定する手順を説明する。図５は、第１及び第２の画像転送方法をオン又はオフに設定するための設定メニューの一例を示す図である。第１の実施形態では、操作部１０９のメニューボタン及び十字ボタンを操作することによって図５に示す設定メニューを表示部１０６に表示するように構成する。
【００３１】
図５に示す「転送優先」は第１の画像転送方法に対応し、図５に示す「保存優先」は第２の画像転送方法に対応する。ユーザは、十字ボタン及び選択ボタンを操作して「転送優先」及び「保存優先」をオン又はオフに設定することができる。図５では、「転送優先」及び「保存優先」をオンに設定した場合を示す。
【００３２】
次に、図３を参照して通信装置２０の構成の一例を説明する。
【００３３】
ネットワークインターフェース２０１は、ＩＥＥＥ１３９４シリアルバス、ＵＳＢ（Ｕｎｉｖｅｒｓａｌ  Ｓｅｒｉａｌ  Ｂｕｓ）等に準拠したものであり、撮像装置１０から通信装置２０に転送された画像ファイルを受信する。ネットワークインターフェース２０１で受信された画像ファイルは、バッファメモリ２０２に格納される。バッファメモリ２０２は、複数の画像ファイルを記憶する容量を有する。また、撮像装置１０に関する情報、ＡＰ４０に関する情報、ファイルサーバ５０に関する情報等を撮像装置１０から受信する。
【００３４】
無線ＬＡＮインターフェース２０３は、バッファメモリ２０２に格納されている画像ファイルをＡＰ４０を介してファイルサーバ５０に転送する。
【００３５】
操作部２０４は、通信装置２０を操作するためのユーザインターフェースであり、通信装置２０の電源をオン又はオフするためのスイッチ等を有する。
【００３６】
メイン制御部２０５は、不揮発性メモリ２０６内の制御プログラムに従って通信装置２０を制御するマイクロコンピュータを有する。また、メイン制御部２０５は、撮像装置１０の動作モードを検出する機能と、撮像装置１０の動作モードに応じて通信装置２０の動作モードをパワーオンモード又はパワーセーブモードに変更する機能とを有する。
【００３７】
不揮発性メモリ２０６には、通信装置２０を制御するための制御プログラムが記憶されている。また、不揮発性メモリ２０６には、通信装置２０に関する情報、撮像装置１０に関する情報、ＡＰ４０に関する情報、ファイルサーバ５０に関する情報等が記憶されている。なお、撮像装置１０に関する情報、ＡＰ４０に関する情報及びファイルサーバ５０に関する情報は、撮像装置１０から受信され、不揮発性メモリ２０６に格納される。
【００３８】
表示部２０７は、液晶表示器等の表示器を有し、その表示器に様々な情報を表示する。表示部２０７は、通信中であるか否かを示す情報を表示する機能と、現在の転送レートを示す情報を表示する機能と、現在の通信状況を示す情報を表示する機能と、エラーを示す情報を表示する機能と、通信装置２０のバッテリの残量を示す情報を表示する機能等を有する。なお、パワーセーブモードがオンになったとき、メイン制御部２０５は表示部２０７をオフにする。
【００３９】
メモリ２０８は、ＡＰ４０を発見したときのチャネルを示す情報を登録するためのメモリである。メモリ２０８に登録された情報は、通信装置２０の電源をオフにしたとき消去されるものとする。
【００４０】
次に、図４を参照して撮像装置１０で実行される処理の手順の一例を説明する。図４に示す処理は、撮像装置１０及び通信装置２０がパワーオンモードであり、且つ、通信装置２０との通信が可能であるときに開始される処理である。また、図４に示す処理は、メイン制御部１０８が不揮発性メモリ１１０内の制御プログラムに従って制御するものである。
【００４１】
ステップＳ４０１：メイン制御部１０８は、操作部１０９のシャッターボタンが全押し状態にされたか否かを判定する。シャッターボタンが全押し状態にされた場合はステップＳ４０２に進む。シャッターボタンが全押し状態にされていない場合は本フローチャートを終了する。シャッターボタンを全押し状態にし続けている場合、撮像装置１０は複数の画像ファイルを生成し続け、それらの画像ファイルを第２のバッファメモリ２０２に格納し続ける。
【００４２】
ステップＳ４０２：メイン制御部１０８は、第１の画像転送方法がオンにされているか否かを判定する。第１の画像転送方法がオンにされている場合はステップＳ４０３に進み、第１の画像転送方法がオフにされている場合はステップＳ４１３に進む。
【００４３】
ステップＳ４０３：メイン制御部１０８は、第２の画像転送方法がオンにされているか否かを判定する。第２の画像転送方法がオンにされている場合はステップＳ４０４に進み、第２の画像転送方法がオフにされている場合はステップＳ４０５に進む。
【００４４】
ステップＳ４０４：メイン制御部１０８は、通信装置２０内のバッファメモリ２０２の空き容量に応じて第１の画像転送方法を選択するか否かを判定する。第１の実施形態では、バッファメモリ２０２の空き容量が所定の基準値（例えば、１つの画像ファイルを記憶するのに十分なサイズ）を超えているか否かを通信装置２０から撮像装置１０に通知するように構成する。バッファメモリ２０２の空き容量が所定の基準値を超えている場合、メイン制御部１０８は、撮影画像の撮影画像の通信装置２０への転送を優先した方がよいと判定し、第１の画像転送方法を選択する。一方、バッファメモリ２０２の空き容量が所定の基準値を超えていない場合、メイン制御部１０８は、撮影画像の記憶媒体３０への保存を優先した方がよいと判定し、第２の画像転送方法を選択する。第１の画像転送方法が選択された場合はステップＳ４０５に進み、第２の画像転送方法が選択された場合はステップＳ４０８に進む。
【００４５】
ステップＳ４０５：メイン制御部１０８は、記憶媒体３０に保存し、且つ、通信装置２０に転送すべき画像ファイルを記憶媒体インターフェース１０７及びネットワークインターフェース１１１に通知する。記憶媒体インターフェース１０７は、メイン制御部１０８から通知された画像ファイルを第２のバッファメモリ１０５から読み出して記憶媒体３０に書き込む処理を行う。ネットワークインターフェース１１１は、この保存処理と並行して、メイン制御部１０８から通知された画像ファイルを第２のバッファメモリ１０５から読み出して通信装置２０に転送する処理を行う。
【００４６】
ステップＳ４０６：メイン制御部１０８は、記憶媒体３０に保存され、且つ、通信装置２０に転送された画像ファイルを第２のバッファメモリ１０５から消去する。その結果、第２のバッファメモリ１０５の空き容量が増え、第１のバッファメモリ１０２に格納されているデジタル画像を処理することができるようになる。
【００４７】
ステップＳ４０７：メイン制御部１０８は、通信装置２０に転送されていない画像ファイルが第２のバッファメモリ１０５に存在するか否かを判定する。このような画像ファイルが第２のバッファメモリ１０５に存在する場合はステップＳ４０２に戻る。このような画像ファイルが第２のバッファメモリ１０５に存在しない場合は本フローチャートを終了する。
【００４８】
ステップＳ４０８：メイン制御部１０８は、記憶媒体３０に保存し、且つ、通信装置２０に転送すべき画像ファイルを記憶媒体インターフェース１０７に通知する。記憶媒体インターフェース１０７は、メイン制御部１０８から通知された画像ファイルを第２のバッファメモリ１０５から読み出して記憶媒体３０に書き込む。
【００４９】
ステップＳ４０９：メイン制御部１０８は、記憶媒体３０に保存された画像ファイルを第２のバッファメモリ１０５から消去する。その結果、第２のバッファメモリ１０５の空き容量が増え、第１のバッファメモリ１０２に格納されているデジタル画像を処理することができるようになる。
【００５０】
ステップＳ４１０：第２のバッファメモリ１０５に空き容量がある場合、メイン制御部１０８は、ステップＳ４０８で記憶媒体３０に保存された画像ファイルの読み出しを記憶媒体インターフェース１０７に指示する。記憶媒体インターフェース１０７は、ステップＳ４０８で記憶媒体３０に保存された画像ファイルを読み出して第２のバッファメモリ１０５に格納する。メイン制御部１０８は、第２のバッファメモリ１０５に格納された画像ファイルをネットワークインターフェース１１１に通知する。ネットワークインターフェース１１１は、メイン制御部１０８から通知された画像ファイルを第２のバッファメモリ１０５から読み出して通信装置２０に転送する。
【００５１】
ステップＳ４１１：メイン制御部１０８は、通信装置２０に転送された画像ファイルを第２のバッファメモリ１０５から消去する。
【００５２】
ステップＳ４１２：メイン制御部１０８は、通信装置２０に転送されていない画像ファイルが第２のバッファメモリ１０５に存在するか否かを判定する。このような画像ファイルが第２のバッファメモリ１０５に存在する場合はステップＳ４０２に戻る。このような画像ファイルが第２のバッファメモリ１０５に存在しない場合は本フローチャートを終了する。
【００５３】
ステップＳ４１３：メイン制御部１０８は、第２の画像転送方法がオンにされているか否かを判定する。第２の画像転送方法がオンにされている場合はステップＳ４０８に進み、第２の画像転送方法がオフにされている場合はステップＳ４１４に進む。
【００５４】
ステップＳ４１４：メイン制御部１０８は、記憶媒体３０に保存すべき画像ファイルを記憶媒体インターフェース１０７に通知する。記憶媒体インターフェース１０７は、メイン制御部１０８から通知された画像ファイルを第２のバッファメモリ１０５から読み出して記憶媒体３０に書き込む。
【００５５】
ステップＳ４１５：メイン制御部１０８は、記憶媒体３０に保存された画像ファイルを第２のバッファメモリ１０５から消去する。その結果、第２のバッファメモリ１０５の空き容量が増え、第１のバッファメモリ１０２に格納されているデジタル画像を処理することができるようになる。
【００５６】
ステップＳ４１６：メイン制御部１０８は、記憶媒体３０に保存されていない画像ファイルが第２のバッファメモリ１０５に存在するか否かを判定する。このような画像ファイルが第２のバッファメモリ１０５に存在する場合はステップＳ４０２に戻る。このような画像ファイルが第２のバッファメモリ１０５に存在しない場合は本フローチャートを終了する。
【００５７】
このように、第１の実施形態に係る撮像装置１０によれば、第１の画像転送方法をオンにし、第２の画像転送方法をオフにすれば、撮影画像の通信装置２０への転送を優先することができる。
【００５８】
また、第１の実施形態に係る撮像装置１０によれば、第１の画像転送方法をオフにし、第２の画像転送方法をオンにすれば、撮影画像の記憶媒体３０への保存を優先することができる。
【００５９】
また、第１の実施形態に係る撮像装置１０によれば、第１及び第２の画像転送方法がオンにすれば、撮影画像の記憶媒体３０への保存を優先するか撮影画像の通信装置２０への転送を優先するかをバッファメモリ２０２の空き容量に応じて自動的に選択することができる。
【００６０】
（第２の実施形態）
第１の実施例では、ステップＳ４０４において、バッファメモリ２０２の空き容量に応じて第１又は第２の画像転送方法を選択するように構成したが、バッファメモリ２０２の空き容量だけでなく第２のバッファメモリ１０５の空き容量を考慮してもよい。例えば、バッファメモリ２０２及び第２のバッファメモリ１０５の空き容量が所定の基準値を超えている場合には第１の画像転送方法を選択し、バッファメモリ２０２の空き容量が所定の基準値を超えていても第２のバッファメモリ１０５の空き容量が所定の基準値を超えてない場合には第２の画像転送方法を選択するように構成してもよい。
【００６１】
また、バッファメモリ２０２の空き容量だけでなく第１のバッファメモリ１０２及び第２のバッファメモリ１０５の空き容量を考慮してもよい。例えば、バッファメモリ２０２、第１のバッファメモリ１０２及び第２のバッファメモリ１０５の空き容量が所定の基準値を超えている場合には第１の画像転送方法を選択し、バッファメモリ２０２の空き容量が所定の基準値を超えていても第１のバッファメモリ１０２及び第２のバッファメモリ１０５の空き容量が所定の基準値を超えてない場合には第２の画像転送方法を選択するように構成してもよい。
【００６２】
（第３の実施形態）
第１の実施形態のステップＳ４０４の処理は、次のように変更することもできる。
【００６３】
ステップＳ４０４：メイン制御部１０８は、通信装置２０に接続されたバッテリの残量に応じて第１の画像転送方法を選択するか否かを判定する。第３の実施形態では、通信装置２０に接続されたバッテリの残量が所定の基準値（例えば、１つの画像ファイルをファイルサーバ５０に転送するのに十分な容量）を超えているか否かを通信装置２０から撮像装置１０に通知するように構成する。通信装置２０に接続されたバッテリの残量が所定の基準値を超えている場合、メイン制御部１０８は、撮影画像の撮影画像の通信装置２０への転送を優先した方がよいと判定し、第１の画像転送方法を選択する。一方、通信装置２０に接続されたバッテリが所定の基準値を超えていない場合、メイン制御部１０８は、撮影画像の記憶媒体３０への保存を優先した方がよいと判定し、第２の画像転送方法を選択する。第１の画像転送方法が選択された場合はステップＳ４０５に進み、第２の画像転送方法が選択された場合はステップＳ４０８に進む。
【００６４】
このように、第３の実施形態に係る撮像装置１０によれば、第１の画像転送方法をオンにし、第２の画像転送方法をオフにすれば、撮影画像の撮影画像の通信装置２０への転送を優先することができる。
【００６５】
また、第３の実施形態に係る撮像装置１０によれば、第１の画像転送方法をオフにし、第２の画像転送方法をオンにすれば、撮影画像の記憶媒体３０への保存を優先することができる。
【００６６】
また、第３の実施形態に係る撮像装置１０によれば、第１及び第２の画像転送方法がオンにすれば、撮影画像の記憶媒体３０への保存を優先するか撮影画像の通信装置２０への転送を優先するかを通信装置２０に接続されたバッテリの残量に応じて自動的に選択することができる。
【００６７】
なお、第３の実施形態は、第１及び第２の実施形態の少なくとも一つと組み合わせることができる。
【００６８】
（第４の実施形態）
第３の実施例では、ステップＳ４０４において、通信装置２０に接続されたバッテリの残量に応じて第１又は第２の画像転送方法を選択するように構成したが、通信装置２０に接続されたバッテリの残量だけでなく撮像装置１０に接続されたバッテリの残量を考慮してもよい。例えば、通信装置２０に接続されたバッテリ及び撮像装置１０に接続されたバッテリの残量が所定の基準値を超えている場合には第１の画像転送方法を選択し、通信装置２０に接続されたバッテリの残量が所定の基準値を超えていても撮像装置１０に接続されたバッテリの残量が所定の基準値を超えてない場合には第２の画像転送方法を選択するように構成してもよい。
【００６９】
また、撮像装置１０に接続されたバッテリから通信装置２０に電力を供給する構成にすれば、撮像装置１０に接続されたバッテリの残量のみに応じて第１又は第２の画像転送方法を選択するように構成することもできる。
【００７０】
なお、第４の実施形態は、第１及び第２の実施形態の少なくとも一つと組み合わせることができる。
【００７１】
（第５の実施形態）
第１の実施形態のステップＳ４０４の処理は、次のように変更することもできる。
【００７２】
ステップＳ４０４：メイン制御部１０８は、撮像装置１０と通信装置２０との間のデータ転送レートに応じて第１の画像転送方法を選択するか否かを判定する。第５の実施形態では、撮像装置１０と通信装置２０との間のデータ転送レートをネットワークインターフェース１１１で検出するように構成する。撮像装置１０と通信装置２０との間のデータ転送レートが所定の基準値（例えば、撮像装置１０と記憶媒体３０との間のデータ転送レート）を超えている場合、メイン制御部１０８は、撮影画像の撮影画像の通信装置２０への転送を優先した方がよいと判定し、第１の画像転送方法を選択する。一方、撮像装置１０と通信装置２０との間のデータ転送レートが所定の基準値を超えていない場合、メイン制御部１０８は、撮影画像の記憶媒体３０への保存を優先した方がよいと判定し、第２の画像転送方法を選択する。第１の画像転送方法が選択された場合はステップＳ４０５に進み、第２の画像転送方法が選択された場合はステップＳ４０８に進む。
【００７３】
このように、第５の実施形態に係る撮像装置１０によれば、第１の画像転送方法をオンにし、第２の画像転送方法をオフにすれば、撮影画像の撮影画像の通信装置２０への転送を優先することができる。
【００７４】
また、第５の実施形態に係る撮像装置１０によれば、第１の画像転送方法をオフにし、第２の画像転送方法をオンにすれば、撮影画像の記憶媒体３０への保存を優先することができる。
【００７５】
また、第５の実施形態に係る撮像装置１０によれば、第１及び第２の画像転送方法がオンにすれば、撮影画像の記憶媒体３０への保存を優先するか撮影画像の通信装置２０への転送を優先するかを撮像装置１０と通信装置２０との間のデータ転送レートに応じて自動的に選択することができる。
【００７６】
なお、第５の実施形態は、第１乃至第４の実施形態の少なくとも一つと組み合わせることができる。
【００７７】
（第６の実施形態）
第５の実施例では、ステップＳ４０４において、撮像装置１０と通信装置２０との間のデータ転送レートに応じて第１又は第２の画像転送方法を選択するように構成したが、撮像装置１０と通信装置２０とを接続するネットワークインターフェースに複数の種類がある場合には撮像装置１０と通信装置２０とを接続するネットワークインターフェースの種類を考慮してもよい。例えば、撮像装置１０と通信装置２０とを接続するネットワークインターフェースのデータ転送レートが記憶媒体インターフェース１０７のデータ転送レートよりも速い場合には第１の画像転送方法を選択し、遅い場合には第２の画像転送方法を選択するように構成してもよい。
【００７８】
なお、第６の実施形態は、第１乃至第５の実施形態の少なくとも一つと組み合わせることができる。
【００７９】
（第７の実施形態）
第１の実施形態のステップＳ４０４の処理は、次のように変更することもできる。
【００８０】
ステップＳ４０４：メイン制御部１０８は、通信装置２０とＡＰ４０との間のデータ転送レートに応じて第１の画像転送方法を選択するか否かを判定する。第７の実施形態では、通信装置２０とＡＰ４０との間のデータ転送レートを無線ＬＡＮインターフェース２０３で検出し、通信装置２０から撮像装置１０に通知するように構成する。通信装置２０とＡＰ４０との間のデータ転送レートが所定の基準値（例えば、撮像装置１０と記憶媒体３０との間のデータ転送レート）を超えている場合、メイン制御部１０８は、撮影画像の撮影画像の通信装置２０への転送を優先した方がよいと判定し、第１の画像転送方法を選択する。一方、通信装置２０とＡＰ４０との間のデータ転送レートが所定の基準値を超えていない場合、メイン制御部１０８は、撮影画像の記憶媒体３０への保存を優先した方がよいと判定し、第２の画像転送方法を選択する。第１の画像転送方法が選択された場合はステップＳ４０５に進み、第２の画像転送方法が選択された場合はステップＳ４０８に進む。
【００８１】
このように、第７の実施形態に係る撮像装置１０によれば、第１の画像転送方法をオンにし、第２の画像転送方法をオフにすれば、撮影画像の撮影画像の通信装置２０への転送を優先することができる。
【００８２】
また、第７の実施形態に係る撮像装置１０によれば、第１の画像転送方法をオフにし、第２の画像転送方法をオンにすれば、撮影画像の記憶媒体３０への保存を優先することができる。
【００８３】
また、第７の実施形態に係る撮像装置１０によれば、第１及び第２の画像転送方法がオンにすれば、撮影画像の記憶媒体３０への保存を優先するか撮影画像の通信装置２０への転送を優先するかを通信装置２０とＡＰ４０との間のデータ転送レートに応じて自動的に選択することができる。
【００８４】
なお、第７の実施形態は、第１乃至第６の実施形態の少なくとも一つと組み合わせることができる。
【００８５】
（第８の実施形態）
第１乃至第７の実施形態の撮像装置１０は、第１及び第２の画像転送方法がオンであるとき、画像ファイルを送信するごとに画像転送方法を変更する構成であるが、画像ファイルを複数のブロックに分割し、それらのブロックごとに画像転送方法を変更する構成に変更することも可能である。
【００８６】
（その他の実施形態）
上記の各実施形態の全て又は一部は、マイクロコンピュータ等のコンピュータで実行で実行可能なプログラムで実現することができる。この場合、このプログラムは、このプログラムを実行するコンピュータを内蔵した装置内の記憶媒体に格納されたものであっても、このプログラムを実行するコンピュータを内蔵した装置内に装着可能な記憶媒体に格納されたものであってもよい。
【図１】
2010178360.tif 000003
【図２】
2010178360.tif 000004
【図３】
2010178360.tif 000005
【図４】
2010178360.tif 000006
【図５】
2010178360.tif 000007